【手続補正書】
【提出日】平成16年7月26日(2004.7.26)
【手続補正１】
【補正対象書類名】特許請求の範囲
【補正対象項目名】全文
【補正方法】変更
【補正の内容】
【特許請求の範囲】
【請求項１】
所定の模様が印刷された樹脂シートを熱成形して同模様に対応した成形品を形成する熱成形装置であって、
上記樹脂シートを加熱軟化させる加熱板と、
上記模様に対応した型面を有する雌型と、
上記樹脂シート上に付与された基準マークに基づいて同樹脂シートに印刷された模様を上記型面に対して位置合わせする位置合わせ機構と、
上記位置合わせ機構にて位置合わせされた樹脂シートに上記加熱板と上記雌型とを当接させて同樹脂シートを加熱軟化させつつ上記成形品を形成する成形機構とを具備することを特徴とする熱成形装置。
【請求項２】
上記基準マークには、所定の凹形状が形成されるとともに、上記位置合わせ機構は、上記雌型の上記加熱板との当接側に同加熱板方向に立設された突起部を有し、上記樹脂シートの基準マークの凹形状と同突起部とを嵌合させることにより上記位置合わせを行なうことを特徴とする請求項１に記載の熱成形装置。
【請求項３】
上記成形機構に対して上記雌型を搬出入可能な搬送機構を備えることを特徴とする請求項１または請求項２のいずれかに記載の熱成形装置。
【請求項４】
上記加熱板は、上記雌型の上方側に配設されることを特徴とする請求項１〜請求項３のいずれかに記載の熱成形装置。
【請求項５】
上記加熱板は、上記雌型の下方側に配設されることを特徴とする請求項１〜請求項３のいずれかに記載の熱成形装置。
【請求項６】
上記樹脂シートの基準マークの凹形状は、貫通孔に形成されるとともに、上記位置合わせ機構は、この貫通孔に上記突起部を挿入させることにより上記位置合わせを行なうことを特徴とする請求項２〜請求項５のいずれかに記載の熱成形装置。
【請求項７】
上記雌型は、略四方形状に形成されるとともに、上記位置合わせ機構の突起部は、同略四方形状の雌型の略四方隅に立設されることを特徴とする請求項２〜請求項６のいずれかに記載の熱成形装置。
【請求項８】
所定の模様が印刷された樹脂シートを加熱板にて加熱軟化させつつ同模様に対応した型面を有する雌型によって熱成形しつつ成形品を形成する熱成形方法において、
上記樹脂シート上に付与された基準マークに基づいて同樹脂シートに印刷された模様を上記雌型の同模様に対応した型面に対して位置合わせする位置合わせ工程と、
上記位置合わせ工程にて位置合わせされた樹脂シートに上記加熱板と上記雌型とを当接させ同樹脂シートを加熱軟化させつつ上記成形品を形成する成形工程とを具備することを特徴とする熱成形方法。
【手続補正２】
【補正対象書類名】明細書
【補正対象項目名】０００８
【補正方法】変更
【補正の内容】
【０００８】
熱成形に際して、雌型に立設された突起部が雌型と加熱板との当接面に合わせて陥没すると、同雌型および加熱板が当接面にて密着することが可能となり、雌型と加熱板とにて形成される空間の気密性を向上させることができて好適である。そこで、上記突起部は、上記加熱板と雌型とが当接した際に、同雌型の内部に収容される構成としてもよい。
上記構成においては、熱成形に際して加熱板と雌型とが当接した場合、突起部を雌型の内部に収容されるように当該雌型を形成する。
【手続補正３】
【補正対象書類名】明細書
【補正対象項目名】０００９
【補正方法】変更
【補正の内容】
【０００９】
熱成形に際して、雌型に立設された突起部が雌型と加熱板との当接面に合わせて陥没させる他の手法として、上記突起部は、上記加熱板と雌型とが当接した際に、同加熱板に収容される構成としてもよい。
上記構成においては、熱成形に際して加熱板と雌型とが当接した場合、突起部が加熱板に収容されるように当該加熱板を形成する。
【手続補正４】
【補正対象書類名】明細書
【補正対象項目名】００１０
【補正方法】変更
【補正の内容】
【００１０】
熱成形に際しては、成形機構にて雌型と加熱板とが当接される。雌型においては上述したように位置合わせ機構にて樹脂シートと型面との位置合わせを行なう必要がある。この位置合わせに際して、作業者は雌型と加熱板との間にて作業を行なわなければならず煩雑である。そこで、請求項３にかかる発明は、請求項１または請求項２のいずれかに記載の熱成形装置において、上記成形機構に対して上記雌型を搬出入可能な搬送機構を備える構成としてある。
上記のように構成した請求項３にかかる発明においては、搬送機構にて雌型を成形機構に対して搬出入可能にする。これにより、作業者は雌型の型面に対して樹脂シートの位置合わせを行なってから搬送機構にて成形機構に搬入させれば良いため作業効率が良くなる。
【手続補正５】
【補正対象書類名】明細書
【補正対象項目名】００１１
【補正方法】変更
【補正の内容】
【００１１】
雌型と加熱板との位置関係は特に限定されるものではなく、熱成形に際して、当接させることができれば良い。ここで、当該雌型と加熱板との位置関係の一例として、請求項４にかかる発明は、請求項１〜請求項３のいずれかに記載の熱成形装置において、上記加熱板は、上記雌型の上方側に配設される構成としてある。
上記のように構成した請求項４にかかる発明においては、加熱板を雌型の上方側に配設する。ここで、熱成形にて加熱板と雌型とを当接させるに際しては、加熱板を雌型に対して下降移動させても良いし、雌型を加熱板に対して上昇移動させても良い。むろん、加熱板と雌型とを相互に移動させるようにしても良い。
【手続補正６】
【補正対象書類名】明細書
【補正対象項目名】００１２
【補正方法】変更
【補正の内容】
【００１２】
雌型と加熱板との位置関係の他の一例として、請求項５にかかる発明は、請求項１〜請求項３のいずれかに記載の熱成形装置において、上記加熱板は、上記雌型の下方側に配設される構成としてある。
上記のように構成した請求項５にかかる発明においては、加熱板を雌型の下方側に配設する。ここで、熱成形にて加熱板と雌型とを当接させるに際しては、上述と同様に加熱板を雌型に対して下降移動させても良いし、雌型を加熱板に対して上昇移動させても良い。むろん、加熱板と雌型とを相互に移動させるようにしても良い。
【手続補正７】
【補正対象書類名】明細書
【補正対象項目名】００１３
【補正方法】変更
【補正の内容】
【００１３】
位置合わせ機構にて位置合わせした際に、位置合わせ後の樹脂シートが雌型に対して固定されると好適である。そこで、請求項６にかかる発明は、請求項２〜請求項５のいずれかに記載の熱成形装置において、上記樹脂シートの基準マークの凹形状は、貫通孔に形成されるとともに、上記位置合わせ機構は、この貫通孔に上記突起部を挿入させることにより上記位置合わせを行なう構成としてある。
上記のように構成した請求項６にかかる発明においては、樹脂シートの基準マークの凹形状を貫通孔に形成する。そして、位置合わせ機構にて位置合わせを行なうにあたり、この貫通孔に突起部を挿入する。このように、位置合わせ時に貫通孔に対して突起部を挿入することにより、樹脂シートは雌型に固定することが可能になる。
【手続補正８】
【補正対象書類名】明細書
【補正対象項目名】００１４
【補正方法】変更
【補正の内容】
【００１４】
雌型および位置合わせ機構の具体的構成の一例として、請求項７にかかる発明は、請求項２〜請求項６のいずれかに記載の熱成形装置において、上記雌型は、略四方形状に形成されるとともに、上記位置合わせ機構の突起部は、同略四方形状の雌型の略四方隅に立設される構成としてある。
上記のように構成した請求項７にかかる発明においては、雌型を略四方形状に形成し、位置合わせ機構の突起部をこの略四方形状の雌型の略四方隅に立設する。
【手続補正９】
【補正対象書類名】明細書
【補正対象項目名】００１５
【補正方法】変更
【補正の内容】
【００１５】
また、このような所定の模様が印刷された樹脂シートを加熱板にて加熱軟化させつつ同模様に対応した型面を有する雌型によって熱成形しつつ成形品を形成する手法は必ずしも実体のある装置に限られる必要はなく、その方法としても機能することは容易に理解できる。
このため、請求項８にかかる発明は、所定の模様が印刷された樹脂シートを加熱板にて加熱軟化させつつ同模様に対応した型面を有する雌型によって熱成形しつつ成形品を形成する熱成形方法において、上記樹脂シート上に付与された基準マークに基づいて同樹脂シートに印刷された模様を上記雌型の同模様に対応した型面に対して位置合わせする位置合わせ工程と、上記位置合わせ工程にて位置合わせされた樹脂シートに上記加熱板と上記雌型とを当接させ同樹脂シートを加熱軟化させつつ上記成形品を形成する成形工程とを具備する構成としてある。
すなわち、必ずしも実体のある装置に限らず、その方法としても有効であることに相違はない。
【手続補正１０】
【補正対象書類名】明細書
【補正対象項目名】００１６
【補正方法】変更
【補正の内容】
【００１６】
以上説明したように本発明は、所定の模様が印刷された樹脂シートをこの模様に対応して熱成形する場合に、模様と雌型の型面との位置合わせを簡単に精度良く実施することが可能な熱成形装置を提供することができる。
また、請求項２にかかる発明によれば、位置合わせ機構の一例を提示することができる。
さらに、突起部を雌型内部に収容させることにより、雌型と加熱板との当接面を密着させることが可能になる。
さらに、請求項３にかかる発明によれば、位置合わせの作業効率を向上させることが可能になる。
【手続補正１１】
【補正対象書類名】明細書
【補正対象項目名】００１７
【補正方法】変更
【補正の内容】
【００１７】
さらに、請求項４にかかる発明によれば、雌型および加熱板の配置の一例を提示することができる。
さらに、請求項５にかかる発明によれば、雌型および加熱板の配置の他の一例を提示することができる。
さらに、請求項６にかかる発明によれば、簡易な構成で位置合わせ後の樹脂シートを雌型に固定することが可能になる。
さらに、請求項７にかかる発明によれば、雌型および位置合わせ機構の具体的構成を提示することができる。
さらに、請求項８にかかる発明によれば、所定の模様が印刷された樹脂シートをこの模様に対応して熱成形する場合に、模様と雌型の型面との位置合わせを簡単に精度良く実施することが可能な熱成形方法を提供することができる。